(57)【特許請求の範囲】
【請求項１】
（ａ）陰イオン界面活性剤及び／又は非イオン界面活性剤５〜６０重量％、（ｂ）２５℃における屈折率が１．２０〜１．４５の水不溶性シリコ−ン化合物６〜３０重量％、並びに（ｃ）下記一般式（３）の化合物、下記一般式（４）の化合物及び下記一般式（５）の化合物から選ばれる化合物を含有し、（ｂ）／（ｃ）が重量比で５／１〜１００／１である洗浄剤組成物。
【化１】
0004663106.tif 000007
〔式中、Ｒ4は炭素数１０〜３６のアルキル基又はアルケニル基であり、Ｒ6、Ｒ7は、同一でも異なっていても良く、それぞれ炭素数１〜３のアルキル基もしくはヒドロキシアルキル基又はＲ4−(Ｘ−Ｒ5)k−である。また、Ｒ8は炭素数１〜３のアルキル基又はヒドロキシアルキル基である。Ｘは−ＣＯＯ−、−ＯＣＯ−、−ＣＯＮＲ9−、−ＮＲ9ＣＯ−から選ばれる基であり、Ｒ5は炭素数１〜５のアルキレン基である。Ｒ9は水素原子又は炭素数１〜３のアルキル基もしくはヒドロキシアルキル基である。ｋは１又は０の数であり、Ｔ-は無機又は有機の陰イオンである。〕
【化２】
0004663106.tif 000008
〔式中、Ｒ10は炭素数１０〜３６のアルキル基又はアルケニル基であり、Ｒ12、Ｒ13は、同一でも異なっていても良く、それぞれ炭素数１〜３のアルキル基もしくはヒドロキシアルキル基又はＲ10−[Ｗ−Ｒ11]l−である。Ｗは−ＣＯＯ−、−ＯＣＯ−、−ＣＯＮＲ14−、−ＮＲ14ＣＯ−から選ばれる基であり、Ｒ11は炭素数１〜５のアルキレン基である。ｌは１又は０の数である。Ｒ14は水素原子又は炭素数１〜３のアルキル基もしくはヒドロキシアルキル基である。〕
【化３】
0004663106.tif 000009
〔式中、Ｒ15、Ｒ16、Ｒ19、Ｒ22、Ｒ23は、同一でも異なっていても良く、それぞれ水素原子、炭素数１〜５のアルキル基又はヒドロキシアルキル基であり、Ｒ15、Ｒ16、Ｒ19、Ｒ22、Ｒ23のうち少なくとも１つはＲ24−[Ｖ−Ｒ25]l−である。ここでＲ24は炭素数８〜３６のアルキル基であり、Ｒ25は炭素数１〜５のアルキレン基である。Ｖは−ＣＯＯ−、−ＯＣＯ−、−ＣＯＮＲ26−、−ＮＲ26ＣＯ−、−Ｏ−である。Ｖ及びＲ25は同一でも異なっていてもよい。また、Ｒ26は水素原子又は炭素数１〜３のアルキル基もしくはヒドロキシアルキル基である。Ｒ17、Ｒ18、Ｒ20、Ｒ21は、同一でも異なっていても良く、それぞれ炭素数１〜５のアルキレン基であり、ａ、ｂは、同一でも異なっていても良く、それぞれ０、１又は２である。Ｙ、Ｚは、同一でも異なっていても良く、それぞれ−ＣＯＯ−、−ＯＣＯ−、−ＣＯＮＲ27−、−ＮＲ27ＣＯ−、−Ｏ−、−ＣＨ(ＯＲ28)−から選ばれる基である。Ｒ27、Ｒ28は、同一でも異なっていても良く、それぞれ水素原子又は炭素数１〜５のアルキル基もしくはヒドロキシアルキル基である。ｃは平均０〜１０の数である。〕
【請求項２】
液体又はゲル状であって、（ｂ）が平均粒径０．０１〜４μｍの乳化状態で配合される請求項１記載の洗浄剤組成物。
【発明の詳細な説明】
【０００１】
【発明の属する技術分野】
本発明は繊維製品の洗浄剤組成物に関し、特に褪色した色柄物衣料の色彩を回復させる洗浄剤組成物に関する。
【０００２】
【従来の技術及び発明が解決しようとする課題】
色柄物衣料は、洗濯／着用を繰り返すうちに水道水中の塩素や太陽光の影響で色褪せが進行する。特表平１０−５０４６０８号公報、ＷＯ９８２００９９には塩素捕捉足剤や紫外線吸収剤などを配合することにより、褪色を防止する技術が開示されているが、このような組成物はいったん褪色した衣料の色彩を回復させるものではない。
【０００３】
褪色衣料の色彩を回復する方法としては、特開昭５３−１１１１９２号公報、特開昭５５−２６２３２号公報に低屈折率化合物を繊維に吸着させ熱処理や湿熱処理等を行う方法が開示されているが、これらは工業的に布帛を深色化するものであり、一般家庭でこのような技術を用いることは非常に困難である。
【０００４】
一方、特開昭６０−２１５０９８号公報、特表平１１−５０４９７９号公報には、シリコーンを配合することにより洗浄効果に加えて衣料に平滑性や柔軟性を付与する洗浄剤組成物が開示されている。しかしながら、これらは衣料の色彩を改善するものではなく、洗浄剤に色彩回復効果を付与することは、一般消費者が強く求めるものである。
【０００５】
従って本発明の目的は、十分な洗浄力を示すと共に、更に、褪色した衣料の色彩を一般家庭で容易に回復しうる洗浄剤組成物を提供することにある。
【０００６】
【課題を解決するための手段】
本発明は、（ａ）陰イオン界面活性剤及び／又は非イオン界面活性剤〔以下、（ａ）成分という〕５〜６０重量％、（ｂ）２５℃における屈折率が１．２０〜１．４５の水不溶性シリコ−ン化合物〔以下、（ｂ）成分という〕６〜３０重量％、並びに（ｃ）分子中に１つ以上の４級アンモニウム基及び／又は３級アミノ基と１つ以上の炭素数８〜３６の炭化水素基とを有する化合物〔以下、（ｃ）成分という〕を含有し、（ｂ）／（ｃ）が重量比で５／１〜１００／１である洗浄剤組成物を提供する。
【０００７】
なお、ここでいう「屈折率」はアッペ屈折計を用いて測定されるものであり、また「水不溶性」とは２０℃のイオン交換水１Ｌに溶解する量が１ｇ以下であることをいう。
【０００８】
【発明の実施の形態】
＜（ａ）成分＞
本発明では（ａ）成分として陰イオン界面活性剤及び／又は非イオン界面活性剤を含有する。
【０００９】
陰イオン界面活性剤としてはアルキルベンゼンスルホン酸塩、アルキル硫酸塩、アルキルエーテル硫酸塩から選ばれる少なくとも１種のアニオン界面活性剤を使用することが好ましく、全界面活性剤中に陰イオン界面活性剤を１０〜１００重量％、好ましくは２０〜９０重量％含有することが洗浄力と泡立ち性の点から望ましい。アルキルベンゼンスルホン酸塩としては、アルキル基の炭素数が１０〜２０、好ましくは１０〜１６のものが好適であり、またアルキル硫酸塩は炭素数８〜１８、好ましくは１０〜１４のものが望ましい。さらにアルキルエーテル硫酸塩としてはポリオキシエチレンアルキルエーテル硫酸塩が好ましく、アルキル基の炭素数は８〜１８、更に１０〜１４が好ましく、ポリオキシエチレンの平均付加モル数は１〜１０、好ましくは１〜５、より好ましくは１〜３である。これら陰イオン界面活性剤はナトリウム塩またはカリウム塩が好ましく、特にナトリウム塩が洗浄効果の点から望ましい。
【００１０】
非イオン界面活性剤としてはポリオキシエチレン又はポリオキシプロピレンあるいはこれらのコポリマー、ポリオキシアルキレンアルキル又はアルケニルエーテル、ポリオキシアルキレンアルキルフェニルエーテル、高級脂肪酸アルカノールアミド又はそのアルキレンオキシド付加物、蔗糖脂肪酸エステル、アルキルグルコシドなどを挙げることができ、特に一般式（１）の非イオン界面活性剤が好ましい。
Ｒ1−(ＯＣ3Ｈ6)m(ＯＣ2Ｈ4)n−ＯＨ    （１）
〔式中、Ｒ1は炭素数８〜１８、好ましくは１０〜１６、特に好ましくは１０〜１４の直鎖又は分岐鎖のアルキル基又はアルケニル基であり、ｍは０〜２０、好ましくは０〜１０、ｎは２〜２０、好ましくは２〜１０の数である。また、ｍ＋ｎは５〜３０、好ましくは５〜１５の数であり、ｍが１〜２０の場合は−ＯＣ3Ｈ6−と−ＯＣ2Ｈ4−はブロック状あるいはランダム状、好ましくはブロック状に付加していてもよい。さらに、ｍが０の場合、Ｒ1は炭素数８〜１８、好ましくは１０〜１６、特に好ましくは１２〜１６のアルキル基又はアルケニル基である。〕。
【００１１】
このような化合物としては、下記（１−１）又は（１−２）が好ましく、特に（１−１）の化合物が好ましい。
Ｒ2−(ＯＣ2Ｈ4)q−(ＯＣ3Ｈ6)r−(ＯＣ2Ｈ4)s−ＯＨ      （１−１）
〔式中、Ｒ2は炭素数１０〜１４のアルキル基であり、ｑは０〜１０、好ましくは１〜７、ｒは１〜１０、好ましくは１〜５、ｓは０〜１０、好ましくは１〜７の数を示す。但し、ｑとｓは同時に０ではない〕
Ｒ3−(ＯＣ2Ｈ4)t−ＯＨ                （１−２）
〔式中、Ｒ3は炭素数１１〜１５のアルキル基であり、ｔは１〜２０、好ましくは３〜１５の数である。〕。
【００１２】
非イオン界面活性剤は全界面活性剤中に５〜１００重量％、好ましくは１０〜９０重量％含有することが洗浄効果及び色彩回復効果の点から好ましい。
【００１３】
また、本発明では上記陰イオン界面活性剤と非イオン界面活性剤を併用することが好ましく、陰イオン界面活性剤／非イオン界面活性剤の重量比は１０／１〜１／１０、好ましくは８／１〜５／１が好ましい。
【００１４】
＜（ｂ）成分＞
本発明の（ｂ）成分は２５℃における屈折率が１．２０〜１．４５、好ましくは１．２５〜１．４５、特に好ましくは１．３０〜１．４３の水不溶性のシリコーン化合物である。屈折率がこの範囲であると十分な色彩回復効果が得られ、また色彩も適正となる。なお、水に溶解するシリコーン化合物では、本発明の水不溶性のシリコーン化合物のような満足できる色彩回復効果を得ることができない。
【００１５】
（ｂ）成分のシリコーン化合物は、前記特定の屈折率範囲と溶解性の性質を有するオルガノポリシロキサンオイルであり、具体的には、ジメチルポリシロキサンオイル（以下、ジメチルシリコーンとする）又はジメチルシリコーンオイルの側鎖もしくは末端のメチル基の一部がヒドロキシ基になっているオルガノポリシロキサンオイル（以下、ヒドロキシシリコーンとする）の他に、前記ジメチルシリコーン又はヒドロキシシリコーンのメチル基（好ましくは側鎖のメチル基）の一部が“メチル基以外の有機基”になっているオルガノポリシロキサンオイル（以下、変性シリコーンとする）が挙げられる。変性シリコーンはシリコーンハンドブック（伊藤邦雄編集、日刊工業新聞社発行、１９９０年８月３１日、初版１刷）の第６章を中心に例示されている。メチル基以外の有機基としては、アミノ基を含む有機基、アミド基を含む有機基、ポリエーテル基を含む有機基、エポキシ基を含む有機基、カルボキシ基を含む有機基、アルキル基を含む有機基又はハロゲノアルキル基、ハロゲノアルキレン基もしくはハロゲノアリール基を含む有機基の他に、ポリ（Ｎ−アシルアルキレンイミン）鎖を含む有機基が挙げられる。本発明の洗浄剤組成物では、アミノ基又はポリ（Ｎ−アシルアルキレンイミン）鎖を含む有機基を有する変性シリコーンを用いることが好ましく、アミノ基又はポリ（Ｎ−アシルアルキレンイミン）鎖が炭素数２〜８のアルキレン基を介してポリシロキサン鎖の側鎖に結合している変性シリコーンがより好ましい。アミノ基を含む有機基を有する変性シリコーン（以下アミノ変性シリコーン）は、アミノ当量は１５００〜４００００ｇ／ｍｏｌ、さらには２５００〜２００００ｇ／ｍｏｌ、特には３０００〜１００００ｇ／ｍｏｌのものが好ましい。
【００１６】
なお、本発明において、水溶性の有機基を有する変性シリコーンを用いる場合は、変性率は２０℃でのイオン交換水１Ｌ当たりの溶解性が１ｇを越えないものが選択される。
【００１７】
本発明のシリコーン化合物は、ポリスチレンを標準とし、クロロホルムを展開溶媒とした時のゲル浸透型液体クロマトグラフィーによって求められる重量平均分子量が、１千〜１００万のものが好ましく、３千〜５０万のものがより好ましく、５千〜２５万のものが最も好ましい。また２５℃での粘度が、１０〜１０万ｍｍ2／ｓ、更に５００〜５万ｍｍ2／ｓ、特に１千〜４万ｍｍ2／ｓのものが好ましい。粘度は、ウベローデのＵ字形の粘度計により測定することができる。
【００１８】
＜（ｃ）成分＞
本発明の（ｃ）成分は、分子中に１つ以上の４級アンモニウム基及び／又は３級アミノ基と１つ以上の炭素数８〜３６の炭化水素基とを有する化合物である。このような化合としては、下記一般式（３）の４級アンモニウム塩、一般式（４）又は（５）の２級もしくは３級アミン化合物を挙げることができる。
【００１９】
【化１】
0004663106.tif 000002
【００２０】
〔式中、Ｒ4は炭素数１０〜３６、好ましくは１０〜２４、特に好ましくは１２〜１８のアルキル基又はアルケニル基であり、Ｒ6、Ｒ7は、同一でも異なっていても良く、それぞれ炭素数１〜３のアルキル基もしくはヒドロキシアルキル基又はＲ4−(Ｘ−Ｒ5)k−である。また、Ｒ8は炭素数１〜３のアルキル基又はヒドロキシアルキル基である。Ｘは−ＣＯＯ−、−ＯＣＯ−、−ＣＯＮＲ9−、−ＮＲ9ＣＯ−から選ばれる基であり、Ｒ5は炭素数１〜５、好ましくは１〜３のアルキレン基である。Ｒ9は水素原子又は炭素数１〜３のアルキル基もしくはヒドロキシアルキル基である。ｋは１又は０の数、好ましくは１であり、Ｔ-は無機又は有機の陰イオン、好ましくはハロゲンイオン、硫酸イオン、リン酸イオン、炭素数１〜３のアルキル硫酸エステルイオン、炭素数１〜１２の脂肪酸イオン、特に好ましくはハロゲンイオン、炭素数１〜３のアルキル硫酸エステルイオンである。〕
【００２１】
【化２】
0004663106.tif 000003
【００２２】
〔式中、Ｒ10は炭素数１０〜３６、好ましくは１０〜２４、特に好ましくは１２〜１８のアルキル基又はアルケニル基であり、Ｒ12、Ｒ13は、同一でも異なっていても良く、それぞれ炭素数１〜３のアルキル基もしくはヒドロキシアルキル基又はＲ10−[Ｗ−Ｒ11]l−である。Ｗは−ＣＯＯ−、−ＯＣＯ−、−ＣＯＮＲ14−、−ＮＲ14ＣＯ−から選ばれる基であり、Ｒ11は炭素数１〜５、好ましくは１〜３のアルキレン基である。ｌは１又は０の数、好ましくは１である。Ｒ14は水素原子又は炭素数１〜３のアルキル基もしくはヒドロキシアルキル基である。〕
【００２３】
【化３】
0004663106.tif 000004
【００２４】
〔式中、Ｒ15、Ｒ16、Ｒ19、Ｒ22、Ｒ23は、同一でも異なっていても良く、それぞれ水素原子、炭素数１〜５のアルキル基又はヒドロキシアルキル基であり、Ｒ15、Ｒ16、Ｒ19、Ｒ22、Ｒ23のうち少なくとも１つはＲ24−[Ｖ−Ｒ25]l−である。ここでＲ24は炭素数８〜３６のアルキル基であり、Ｒ25は炭素数１〜５のアルキレン基である。Ｖは−ＣＯＯ−、−ＯＣＯ−、−ＣＯＮＲ26−、−ＮＲ26ＣＯ−、−Ｏ−である。Ｖ及びＲ25は同一でも異なっていてもよい。また、Ｒ26は水素原子又は炭素数１〜３のアルキル基もしくはヒドロキシアルキル基である。Ｒ17、Ｒ18、Ｒ20、Ｒ21は、同一でも異なっていても良く、それぞれ炭素数１〜５のアルキレン基であり、ａ、ｂは、同一でも異なっていても良く、それぞれ０、１又は２である。Ｙ、Ｚは、同一でも異なっていても良く、それぞれ−ＣＯＯ−、−ＯＣＯ−、−ＣＯＮＲ27−、−ＮＲ27ＣＯ−、−Ｏ−、−ＣＨ(ＯＲ28)−から選ばれる基である。Ｒ27、Ｒ28は、同一でも異なっていても良く、それぞれ水素原子又は炭素数１〜５のアルキル基もしくはヒドロキシアルキル基である。ｃは平均０〜１０の数である。〕。
【００２５】
＜洗浄剤組成物＞
本発明の洗浄剤組成物は、（ａ）成分を５〜６０重量％、好ましくは１０〜５０重量％、特に好ましくは１５〜４５重量％、（ｂ）成分を６〜３０重量％、６〜１５重量％、特に好ましくは８〜１５重量％を含有し、（ｂ）成分／（ｃ）成分が重量比で５／１〜１００／１、好ましくは５／１〜５０／１、特に好ましくは５／１〜２０／１である。
【００２６】
本発明の洗浄剤組成物の形態は、粉末状、粒状、錠剤であってもよく、液体やゲル状であってもよい。粉末、粒状の場合は嵩密度５００〜１２００ｇ／ｌ、好ましくは６００〜１０００ｇ／ｌ、平均粒径１５０〜７００μｍ、好ましくは２００〜５００μｍ、特に好ましくは２５０〜３５０μｍが、簡便性の点から好ましく、液体又はゲル状洗剤の場合は水を１０〜６０重量％、好ましくは２０〜５０重量％含有することが、貯蔵安定性の点から良好である。
【００２７】
さらに本発明では色彩回復効果及び洗浄効果の点から、上記洗浄剤組成物の１重量％水溶液のｐＨ（２０℃）が９〜１１、好ましくは９．５〜１０．８であることが望ましい。
【００２８】
本発明の組成物が液体やゲル状の洗浄剤の場合、本発明の（ｂ）成分は水に不溶性の化合物であるため、（ａ）成分及び又は（ｃ）成分により乳化された形態で用いることが好ましく、特に乳化粒子の平均粒径が０．０１〜４μｍ、好ましくは０．２〜３μｍのものが色彩回復性の点で好ましい。なお、粒径は電気泳動光散乱光度計（大塚電子株式会社製、ＥＬＳ−５００）を用いて測定される。
【００２９】
本発明では洗浄性能を向上させるためにさらにポリマー成分を配合することが好ましく、ポリマー成分としては、ポリアクリル酸やポリメタクリル酸等のホモポリマーや、アクリル酸とマレイン酸のコポリマーなどのカルボン酸系ポリマーや、ポリエチレングリコール等の非イオン性ポリマーを挙げることができる。これらの中でも特に重量平均分子量５０００〜２００００のポリアクリル酸又はその塩、重量平均分子量３００００〜８００００のアクリル酸／マレイン酸（２／８〜８／２）のコポリマー及び、重量平均分子量４０００〜１００００のポリエチレングリコールが好ましい。ポリマー成分の配合量は組成物中０．１〜２０重量％、更に０．５〜１０重量％が好ましい。ポリマーの重量平均分子量は、ポリエチレングリコールを標準とし、ゲル浸透型液体クロマトグラフィーによって測定される。
【００３０】
本発明の洗浄剤組成物はさらにゼオライトを配合することが洗浄効果の点から好ましく、ゼオライトとしてはＡ型、Ｘ型、Ｐ型ゼオライトがあり、特にＡ型ゼオライトが好ましい。ゼオライトの平均１次粒径は０．１〜１０μｍ、特に０．１〜５μｍのものが好適である。このようなゼオライトは、本発明の洗浄剤組成物に５〜４０重量％、好ましくは１０〜４０重量％配合される。
【００３１】
本発明では、通常洗浄剤組成物に配合される酵素、蛍光染料、アルカリ剤、無機電解質、再汚染防止剤等を配合してもよい。酵素としては、プロテアーゼ、リパーゼ、アミラーゼ、セルラーゼ等が挙げられ、組成物中０〜１０重量％配合される。また、アルカリ剤、無機電解質としては、珪酸塩、炭酸塩、硫酸塩等が挙げられ、組成物中１〜５０重量％配合される。なお塩はナトリウム塩、カリウム塩が好適である。再汚染防止剤としては、ポリビニルアルコール、ポリビニルピロリドン、カルボキシメチルセルロース等が挙げられ、組成物中０〜１０重量％配合される。
【００３２】
【実施例】
下記成分及び表１の成分を用いて通常の方法により粉末洗浄剤組成物を調製した。また、下記成分及び表２の成分を用いて液体洗浄剤組成物を調製した。これらの組成物を用いて色彩回復効果を下記の方法で評価した。結果を表１及び表２に示す。
・ＬＡＳ−Ｎａ；直鎖アルキル（炭素数１０〜１４）ベンゼンスルホン酸ナトリウム
・ＡＳ−Ｎａ；ラウリル硫酸ナトリウム
・ＦＡ−Ｎａ；炭素数１４〜１８の飽和脂肪酸ナトリウム
・ＡＥＯ；ポリオキシエチレンラウリルエーテル、エチレンオキシド平均付加モル数８
・ＥＳ−Ｎａ；炭素数１２、エチレンオキシド平均付加モル数１．５のポリオキシエチレンアルキルエーテル硫酸ナトリウム
・ＡＰＥＯ；ラウリルアルコールにエチレンオキシド平均２モル、プロピレンオキシド平均５モル、エチレンオキシド平均３モルをこの順にブロック状に付加させたもの
・アミノ変性シリコーン；屈折率１．４１、粘度５０ｍｍ2／ｓ、アミノ当量２１００ｇ／ｍｏｌ（東芝シリコーン社製ＴＳＦ４７０６、２０℃のイオン交換水１リットルに溶解する量は１ｇ以下）
・フッ素変性シリコーン；屈折率１．３８、粘度１００００ｍｍ2／ｓ、（東芝シリコーン社製ＦＱＦ５０１、２０℃のイオン交換水１リットルに溶解する量は１ｇ以下）
・アルキル変性シリコーン；屈折率１．４７、粘度１０００ｍｍ2／ｓ（東レ・ダウコーニング社製ＴＳＦ４４２８、２０℃のイオン交換水１リットルに溶解する量は１ｇ以下）
・ｃ−１；Ｎ−ステアロイルアミノプロピル−Ｎ，Ｎ，Ｎ−トリメチルアンモニウムクロリド
・ｃ−２；Ｎ−ミリスチロイルオキシエチル−Ｎ，Ｎ−ジメチルアミン
・ｃ−３；Ｒ−ＮＨ−(Ｃ2Ｈ4ＮＨ)n−Ｈ2（Ｒ：パーム核組成）（合成法；２Ｌ４つ口フラスコに硫酸ジエチル２１．４ｇ（０．１３９モル）と２−オキサゾリン１．３９モルを脱水した酢酸エチル７００ｇに溶解し、窒素雰囲気下５時間加熱環流した。次にパーム核油由来のアルキル組成を持つ１級アミンの５０％酢酸エチル溶液を４４４ｇ（１．１１モル）加え、１０時間加熱環流した後、反応混合物中の酢酸エチルを減圧留去した。次に得られた化合物４００ｇのアミド結合を加水分解し、副生したプロピオン酸を除去し化合物ｃ−３を得た。平均重合度８モル、収率９５％であった。）
・１号珪酸ナトリウム；Ｎａ2Ｏ／ＳｉＯ2のモル比が２．１５である珪酸ナトリム。
・ＡＡ／ＭＡコポリマー；アクリル酸／マレイン酸共重合体ナトリウム塩（モノマー比３：７、重量平均分子量約５００００、中和度約８０ｍｏｌ％）
・酵素造粒物；サビナーゼ１８．０Ｔ（ノボ社製）
・蛍光染料；チノパールＣＢＳ−Ｘ（チバガイギー社製）とチノパールＡＭＳ−ＧＸ（チバガイギー社製）の１：４混合物（重量比）
・ゼオライト；４Ａ型ゼオライト、平均１次粒径２．０μｍ。
【００３３】
（Ｉ）色彩回復性の評価
＜褪色衣料の調製＞
市販の黒色の木綿ポロシャツ２枚を表１又は表２の標準洗剤を用いて洗濯機で洗浄した（東芝製２槽式洗濯機ＶＨ−３６０Ｓ１、洗剤濃度０．０６６７重量％、水道水３０Ｌ使用、水温２０℃、１０分間洗浄、１分間脱水後、３０Ｌの水道水を注水して５分間すすぎを行った）。この操作を１０回繰り返した衣料は初期の色合が失われ全体的に白っぽくなっていた。
【００３４】
＜処理方法＞
上記褪色衣料を表１又は表２の洗浄剤組成物を用いて洗濯機で５回洗浄した（東芝製２槽式洗濯機ＶＨ−３６０Ｓ１、洗浄剤組成物０．０６６７重量％、水道水３０Ｌ使用、水温２０℃、１０分間洗浄、１分間脱水後、３０Ｌの水道水を注水して５分間すすぎを行い、脱水して室内で自然乾燥した）。この衣料と上記褪色衣料をさらに表１又は表２の標準洗剤で同様に洗濯機で５回洗浄した衣料（対照）を１０人（３０代男性）のパネラーにより比較し、下記の基準で評価した。平均点が０．８未満を◎、０．８以上〜１．２未満を○、１．２以上〜１．５未満を□、１．５以上〜２．０未満を△、２．０以上を×として表１、２に示した。
【００３５】
＜評価基準＞
０；新品衣料に近い色合
１：対照より色が濃く見える
２：対照と同等である
３：対照より色が褪せて見える。
【００３６】
（II）洗浄力の評価
＜洗浄条件＞
洗濯機：東芝製二槽式洗濯機ＶＨ−３６０Ｓ１、洗剤濃度０．０６６７重量％、水道水３０Ｌ使用、水温２０℃、１０分間洗浄、１分間脱水後、３０Ｌの水道水を注水して５分間すすぎを行う。
【００３７】
＜人工汚染布の調製＞
１浴に、１０枚の人工汚染布を５枚の肌シャツの胸と背中に縫い付けた洗濯物を用いた。また、人工汚染布は、グラビアロールコーターを用いて下記組成の人工汚染液を布に付着させることで調製した。人工汚染布を調製する工程では、グラビアロールのセル容量５８ｃｍ3／ｍ2、塗布速度１．０ｍ／ｍｉｎ、乾燥温度１００℃、乾燥時間１分で行った。布は、木綿金巾２００３布（谷頭商店製）を使用した。
【００３８】
〔人工汚染液の組成〕
ラウリン酸０．４４重量％、ミリスチン酸３．０９重量％、ペンタデカン酸２．３１重量％、パルミチン酸６．１８重量％、ヘプタデカン酸０．４４重量％、ステアリン酸１．５７重量％、オレイン酸７．７５重量％、トリオレイン１３．０６重量％、パルミチン酸ｎ−ヘキサデシル２．１８重量％、スクアレン６．５３重量％、卵白レシチン液晶物１．９４重量％、鹿沼赤土８．１１重量％、カーボンブラック０．０１重量％、残部の水道水（合計１００重量％）である。
【００３９】
＜洗浄力の測定方法＞
洗浄力は、汚染前の原布及び洗浄前後の汚染布の５５０ｎｍにおける反射率を測色色差計（日本電色（株）製  Ｍｏｄｅｌ  Ｚ−３００Ａ）にて測定し、次式によって求めた洗浄率により評価した。ここで、洗浄率（％）は、人工汚染布１０枚の洗浄率の平均値とした。求めた洗浄率を表１に示す。
洗浄率（％）＝（洗浄後の反射率−洗浄前の反射率）×１００／（原布の反射率−洗浄前の反射率）
【００４０】
【表１】
0004663106.tif 000005
【００４１】
なお、表１の各組成物の１重量％水溶液の２０℃におけるｐＨは、１０．３〜１０．７の範囲内であった。
【００４２】
【表２】
0004663106.tif 000006
【００４３】
なお、表２の各組成物のｐＨは０．１規定硫酸水溶液又は０．１規定水酸化ナトリウム水溶液で調整した。また、表２の各組成物の１重量％水溶液の２０℃におけるｐＨは、９．８〜１０．２の範囲内であった。更に、表２の各組成物において（ｂ）成分は乳化状態のものを使用した。なお、乳化粒子の平均粒径は０．２〜３μｍの範囲内にある。